(57)【要約】      （修正有）【課題】表示面の接触による静電容量の変化を検出するための配線を兼ねているコモン電極を有する構造の液晶パネルにおいて、表示ムラを回避し、表示品位の良好な液晶表示装置を提供する。【解決手段】コモン電極駆動回路ＣＯＭ＿Ｄｒｖは、バッファ回路１Ｒと振幅制御回路２Ｒ、バッファ回路１Ｃと振幅制御回路２Ｃを有する。行コモン電極駆動回路１Ｒ、２Ｒと列コモン電極駆動回路１Ｃ、２Ｃとは、画素を配列する行に沿ったコモン電極ＣＯＭ＿Ｒｏｗに印加される電圧の実効値と、画素を配列する列に沿ったコモン電極ＣＯＭ＿Ｃｏｌｕｍｎに印加される電圧の実効値が等しくなるように制御する。【選択図】図１
2014167514.tif 000002
【特許請求の範囲】
【請求項１】
基板上にマトリクス状に配置された複数の画素と、
前記各画素にそれぞれ配置された画素電極と、
前記各画素にそれぞれ配置された画素スイッチと、
前記複数の画素を配列する行に沿って延びる走査線と、
前記複数の画素を配列する列に沿って延びる信号線と、
前記走査線にゲート信号を供給する走査線駆動回路と、
前記信号線に映像信号を供給する信号線駆動回路と、
前記行方向に並ぶ複数の前記画素の前記画素電極と絶縁層を介して、表示面内に電気的に独立して配置された複数のコモン電極と、
前記画素を配列する行に沿った前記コモン電極に電圧を供給する行コモン電極駆動回路と、
前記画素を配列する列に沿った前記コモン電極に電圧を供給する列コモン電極駆動回路と、
を備え、
前記走査線駆動回路が前記走査線に供給する前記ゲート信号によって、前記各画素の前記画素スイッチをそれぞれ駆動して前記信号線と前記画素電極とを接続して前記映像信号を前記各画素にそれぞれ供給し、
前記行コモン電極駆動回路と前記列コモン電極駆動回路とは、前記画素を配列する行に沿った前記コモン電極に印加される電圧の実効値と、前記画素を配列する列に沿った前記コモン電極に印加される電圧の実効値が等しくなるように制御する、
液晶表示装置。
【請求項２】
前記行コモン電極駆動回路と前記列コモン電極駆動回路とは、一水平期間内における前記実効値が等しくなるように制御する、
請求項１に記載の液晶表示装置。
【請求項３】
前記列コモン電極駆動回路は、前記画素電極を配列する列に沿った前記コモン電極に印加される電圧の振幅値に一定値を付加して、前記実効値を等しくする、
請求項１又は２に記載の液晶表示装置。
【請求項４】
前記画素は、赤色の画素と緑色の画素と青色の画素から構成され、
前記赤色の画素に接続された信号線と、前記緑色の画素に接続された信号線と、前記青色の画素に接続された信号線とにそれぞれ供給する前記映像信号を、一水平期間において時分割で切り替えて順番に供給する、
請求項１乃至３のいずれか一項に記載の液晶表示装置。
【請求項５】
前記行コモン電極駆動回路と前記列コモン電極駆動回路とは、
前記コモン電極に電圧を供給するバッファ回路と、前記バッファ回路が供給する電圧の振幅を決定する振幅制御回路とからそれぞれ構成される、
請求項１乃至４のいずれか一項に記載の液晶表示装置。
【請求項６】
基板上にマトリクス状に配置された複数の画素と、
前記各画素にそれぞれ配置された画素電極と、
前記各画素にそれぞれ配置された画素スイッチと、
前記複数の画素を配列する行に沿って延びる走査線と、
前記複数の画素を配列する列に沿って延びる信号線と、
前記走査線にゲート信号を供給する走査線駆動回路と、
前記信号線に映像信号を供給する信号線駆動回路と、
前記行方向に並ぶ複数の前記画素の前記画素電極と絶縁層を介して、表示面内に電気的に独立して配置された複数のコモン電極と、
を有する液晶表示装置の駆動方法において、
前記走査線に供給する前記ゲート信号によって、前記各画素の前記画素スイッチをそれぞれ駆動して前記信号線と前記画素電極とを接続して前記映像信号を前記各画素にそれぞれ供給し、
前記画素を配列する行に沿った前記コモン電極に印加される電圧の実効値と、前記画素を配列する列に沿った前記コモン電極に印加される電圧の実効値が等しくなるように制御する、
液晶表示装置の駆動方法。
【発明の詳細な説明】
【技術分野】
【０００１】
本発明の実施形態は、液晶表示装置及びその駆動方法に関する。
【背景技術】
【０００２】
アクティブマトリクス型の液晶表示装置は、互いに対向する一対の基板と、この一対の基板間に挟持された液晶層と、マトリクス状に配置された複数の画素からなる表示部とを備えている。上記一対の基板の一方は、表示部において、複数の画素が配列する行に沿って配置された走査線と、複数の画素が配列する列に沿って配置された信号線とを備えている。液晶層に含まれる液晶分子は、液晶層に印加される電界によって、その配向状態が制御される。
【０００３】
中でも、ＩＰＳ（In-Plane Switching）方式やＦＦＳ（Fringe Field Switching）方式の液晶表示装置は、一対の基板の一方にマトリクス状に配置された複数の画素電極（画素電極）と、複数の画素電極と対向するコモン電極とを有し、画素電極とコモン電極との間に生じる横電界によって液晶層に含まれる液晶分子の配向状態を制御する。そして、これら液晶表示装置は、広視野角や低消費電力などの優れた特徴を有し、テレビや携帯電話などのディスプレイ用途などに広く適用されている。
【０００４】
また、近年、操作性を向上させるためのタッチパネルなどのユーザーインターフェースを表示面に備える要求が強くなっており、上記液晶表示装置の表示面に接触感知要素を備えた製品が市場に拡がりつつある。例えば、特許文献１によれば、接触感知要素を液晶表示装置と一体形成でき、接触検出機能を兼ね備えた液晶表示装置を低コストで提供することが可能である。
【０００５】
そして、上記液晶表示装置では、コモン電極に供給される電圧と、画素電極に順次書き込まれる映像信号とにより液晶層に含まれる液晶分子の配向が制御される。特許文献１の構成では、コモン電極は表示面の接触による静電容量の変化を検出するための配線も兼ねており、表示面内には複数個のコモン電極が電気的に独立して配されている。
【先行技術文献】
【特許文献】
【０００６】
【特許文献１】特開２００９−２９６２５２号公報
【発明の概要】
【発明が解決しようとする課題】
【０００７】
以下、従来例の液晶表示装置及びその駆動方法について図５〜図８を用いてさらに詳しく説明して、その問題点を明らかにする。なお、ここで液晶表示装置は、ノーマリブラックであってＦＦＳ方式であるとする。
【０００８】
（１）従来例の液晶表示装置の構造
従来例に係る液晶表示装置の構造について図５に基づいて説明する。
【０００９】
図５に示すように、従来例に係る液晶表示装置は、互いに対向した一対のアレイ基板（図示せず）及び対向基板（図示せず）、アレイ基板と対向基板との間に挟持された液晶層ＬＱと、マトリクス状に配置された画素ＰＸからなる表示部（図示せず）とを備えている。
【００１０】
アレイ基板は、透明絶縁性基板（図示せず）から構成され、この透明絶縁性基板上には、各画素ＰＸに配置された画素電極ＰＥ、画素電極ＰＥを配列する行に沿って延びる走査線ＧＬ（ＧＬ１、ＧＬ２、ＧＬ３・・・）、走査線駆動回路ＧＤ、画素電極ＰＥを配列する列に沿って延びる信号線ＳＬ（ＳＬ１、ＳＬ２、ＳＬ３・・・）、走査線ＧＬと信号線ＳＬとが交差する位置近傍に配置された画素スイッチＳＷＰ、画素電極ＰＥと絶縁層（図示せず）を介し、かつ、複数の画素電極ＰＥと対向するように配置されたコモン電極ＣＯＭが形成されている。このコモン電極ＣＯＭは、画素電極ＰＥを配列する列に沿ったコモン電極（以下、「列コモン電極」という）ＣＯＭ＿Ｃｏｌｕｍｎと、画素電極ＰＥを配列する行に沿ったコモン電極（以下、「行コモン電極」という）ＣＯＭ＿Ｒｏｗとからなる。
【００１１】
画素スイッチＳＷＰは、スイッチング素子としてＴＦＴ（薄膜トランジスタ：Thin Film Transistor）を備えている。ＴＦＴのゲート電極は、対応する走査線ＧＬに電気的に接続、又は、一体に形成されている。ＴＦＴのソース電極は、対応する信号線ＳＬに電気的に接続、又は、一体に形成されている。ＴＦＴのドレイン電極は、対応する画素電極ＰＥに電気的に接続、又は、一体に形成されている。
【００１２】
ＴＦＴのゲート電極にオン電圧が印加されると、ソース電極とドレイン電極との間が導通し、対応する信号線ＳＬから画素電極ＰＥに映像信号が供給される。画素電極ＰＥに印加される映像信号と、コモン電極ＣＯＭ（ＣＯＭ＿Ｃｏｌｕｍｎ、ＣＯＭ＿Ｒｏｗ）に印加されるコモン電圧とにより液晶容量が形成される。
【００１３】
画素電極ＰＥには、例えば所定の間隔を置いてスリットが設けられ、絶縁層を介して配置されたコモン電極ＣＯＭ（ＣＯＭ＿Ｃｏｌｕｍｎ、ＣＯＭ＿Ｒｏｗ）との間に横電界が生じる。この横電界によって、液晶層ＬＱに含まれる液晶分子の配向状態が制御される。各画素ＰＸは液晶容量と結合する補助容量ＣＳをさらに備えている。液晶容量は、液晶層に印加される電界によって液晶層に蓄えられる。補助容量ＣＳは、画素電極ＰＥとコモン電極ＣＯＭ（ＣＯＭ＿Ｃｏｌｕｍｎ、ＣＯＭ＿Ｒｏｗ）との間に生じる容量である。
【００１４】
また、コモン電極ＣＯＭ（ＣＯＭ＿Ｃｏｌｕｍｎ、ＣＯＭ＿Ｒｏｗ）は、それぞれが電気的に独立した上記複数個のコモン電極の配線であって、表示面の接触による静電容量の変化を検出するための配線を兼ねている。
【００１５】
表示期間において、複数個のコモン電極ＣＯＭ（ＣＯＭ＿Ｃｏｌｕｍｎ、ＣＯＭ＿Ｒｏｗ）には、それぞれに共通のコモン電圧が供給される。また、表示面の接触を検出する期間において、コモン電極ＣＯＭ（ＣＯＭ１、ＣＯＭ２、ＣＯＭ３・・・）には、それぞれに独立した検出信号が供給される。
【００１６】
なお、１フレームの中で、液晶表示の書き換えは通常の液晶表示装置と同様に順次行スキャンにおいて行い、表示面の接触の検出は垂直ブランキング期間において行うことで、液晶の表示と表示面の接触の検出とを、両立させる。表示面の接触の検出は、特許文献１に示すように、検出信号に基づいて行う。
【００１７】
そして、表示期間において、列コモン電極ＣＯＭ＿Ｃｏｌｕｍｎと行コモン電極ＣＯＭ＿Ｒｏｗには、コモン電極駆動回路ＣＯＭ＿Ｄｒｖにより共通のコモン電圧が供給される。コモン電極駆動回路ＣＯＭ＿Ｄｒｖは、バッファ回路１と振幅制御回路２から構成されている。コモン電圧は、振幅制御回路２によってハイ電位とロー電位が決定され、適切な振幅Ａが設定された後に、バッファ回路１が、電流を増幅してコモン電極ＣＯＭ（ＣＯＭ＿Ｃｏｌｕｍｎ、ＣＯＭ＿Ｒｏｗ）に供給する。
【００１８】
また、スイッチング素子ＤＥＭＵＸ＿ＳＷは、デマルチプレクサから構成され、１水平期間中において順次オンされて、信号線駆動回路（不図示）の１つの出力端子から出力された映像信号を３つの信号線（ＳＬ１、ＳＬ２、ＳＬ３）に時分割して供給する。各信号線に供給された映像信号は、画素スイッチＳＷＰを介して画素電極ＰＥに供給される。
【００１９】
（２）従来例の液晶表示装置の駆動方法
従来例の液晶表示装置の駆動方法について説明する。なお、従来例の問題点の説明を簡略化するために、図５の構成を少ない画素数にて簡素化した図６を参照しながら、その駆動方法を図７で説明する。
【００２０】
図６に示すように、簡素化した液晶表示装置は、６本の走査線ＧＬ１、ＧＬ２・・・、ＧＬ６を有し、また、複数個のコモン電極ＣＯＭとして、画素電極ＰＥを配列する列コモン電極ＣＯＭ＿Ｃｏｌｕｍｎと、行コモン電圧ＣＯＭ＿Ｒｏｗ１、ＣＯＭ＿Ｒｏｗ２、ＣＯＭ＿Ｒｏｗ３を備えている。
【００２１】
図７に示すように、走査線駆動回路ＧＤから出力されたゲート信号は走査線ＧＬ１、ＧＬ２・・・、ＧＬ６に供給され、一水平期間毎に順次駆動される。
【００２２】
信号線駆動回路（不図示）が、画素電極ＰＥに充電される映像信号の電位の極性を、コモン電圧に対し、１フレーム毎に正負交互に入れ替えることにより、液晶の交流駆動ができる。
【００２３】
信号線中の映像信号の電位が変動する際、特にデマルチプレクサＤＥＭＵＸ＿ＳＷにより１水平期間を時分割して映像信号を充電する際には、選択された走査線の画素電極ＰＥには充放電電流が発生し、容量結合によりコモン電極ＣＯＭの電位変動が発生する。
【００２４】
しかし、コモン電極ＣＯＭ（ＣＯＭ＿Ｒｏｗ１、ＣＯＭ＿Ｒｏｗ２、ＣＯＭ＿Ｒｏｗ３、ＣＯＭ＿Ｃｏｌｕｍｎ）は、上記のように表示面の接触による静電容量の変化を検出するための配線として、表示面内に電気的に独立した配線として設けられているために、それぞれに異なった固有の時定数を有し、それぞれの時定数に応じて独立して電位が収束する。
【００２５】
また、コモン電極ＣＯＭ（ＣＯＭ＿Ｒｏｗ１、ＣＯＭ＿Ｒｏｗ２、ＣＯＭ＿Ｒｏｗ３、ＣＯＭ＿Ｃｏｌｕｍｎ）は、表示エリアを面内で分割しているため、その電位変動は、それぞれのエリアに含まれる走査線と連動した挙動を示す。
【００２６】
例えば、行コモン電極ＣＯＭ＿Ｒｏｗ１は、そのエリア３、エリア５に走査線ＧＬ１、ＧＬ２を含む。そのため、図７に示すように、期間１（この期間は一水平期間である。）と期間２の間においては、信号線とコモン電極ＣＯＭとのカップリングに加えて、ゲート信号ＧＬ１、ＧＬ２が入力するので、画素電極ＰＥとの直接的な電荷やり取りが発生する。したがって、行コモン電極ＣＯＭ＿Ｒｏｗ１は、顕著に電位が振られる。しかし、それ以外の期間３〜６においては、行コモン電極ＣＯＭ＿Ｒｏｗ１の電位変動は、信号線とコモン電極ＣＯＭとのカップリングのみによって引き起こされるだけであるので、穏やかな電位変動となる。
【００２７】
同様に、行コモン電極ＣＯＭ＿Ｒｏｗ２は、そのエリア６、エリア８に走査線ＧＬ３、ＧＬ４を含むため、期間３と期間４の間においては、信号線とコモン電極ＣＯＭとのカップリングに加えて、画素電極ＰＥとの直接的な電荷やり取りが発生する。したがって、コモン電極ＣＯＭ＿Ｒｏｗ２は、顕著に電位が振られる。しかし、それ以外の期間１，２，５，６においては、その電位変動は信号線とコモン電極ＣＯＭとのカップリングのみによって引き起こされるだけであるので、穏やかな電位変動となる。
【００２８】
同様に、行コモン電極ＣＯＭ＿Ｒｏｗ３は、そのエリア９、エリア１１に走査線ＧＬ５、ＧＬ６を含むため、期間５と期間６の間においては、信号線とコモン電極ＣＯＭとのカップリングに加えて、画素電極ＰＥとの直接的な電荷やり取りが発生する。したがって、行コモン電極ＣＯＭ＿Ｒｏｗ３は、顕著に電位が振られる。しかし、それ以外の期間１〜４においては、行コモン電極ＣＯＭ＿Ｒｏｗ３の電位変動は、信号線とコモン電極ＣＯＭとのカップリングのみによって引き起こされるだけであるので、穏やかな電位変動となる。
【００２９】
一方、列コモン電極ＣＯＭ＿Ｃｏｌｕｍｎは、そのエリア４、エリア７、エリア１０に走査線ＧＬ１、ＧＬ２、ＧＬ３、ＧＬ４、ＧＬ５、ＧＬ６の全てを含むため、期間１〜期間６の間においては、信号線とコモン電極ＣＯＭとのカップリングに加えて、画素電極ＰＥとの直接的な電荷やり取りが発生するために、列コモン電極ＣＯＭ＿Ｃｏｌｕｍｎは、顕著に電位が振られ続けている。
【００３０】
（３）従来例の問題点
以上の説明から明らかなように、行コモン電極ＣＯＭ＿Ｒｏｗ１、ＣＯＭ＿Ｒｏｗ２、ＣＯＭ＿Ｒｏｗ３の電圧の実効値に比べて、列コモン電極ＣＯＭ＿Ｃｏｌｕｍｎの電圧の実効値は小さくなる。液晶は、印加される交流電界の実効値に対して応答するため、列コモン電極ＣＯＭ＿Ｃｏｌｕｍｎのエリアに属する画素の輝度は低くなる。
【００３１】
すなわち、図８に示されるように、列コモン電極ＣＯＭ＿Ｃｏｌｕｍｎに属するエリア４、エリア７、エリア１０は、それ以外のエリアに比べて暗く、列コモン電極ＣＯＭ＿Ｃｏｌｕｍｎの配線に沿った表示ムラとなる。なお、図８では、各エリアに記載した斜めハッチとクロスハッチで輝度の違いを表してる。
【００３２】
なお、ここでは表示期間においてのコモン電極充電に着目して説明したが、列コモン電極ＣＯＭ＿Ｃｏｌｕｍｎと、行コモン電極ＣＯＭ＿Ｒｏｗのそれぞれに、垂直ブランキング期間において独立した検査用信号が印加されるような場合においても、表示エリア毎に実効値差が発生する。
【００３３】
そこで本発明の実施形態は、上記問題点に鑑みて成されたものであって、表示ムラの発生を回避し、良好な品位の液晶表示装置及びその駆動方法を提供することを目的とする。
【課題を解決するための手段】
【００３４】
本発明の実施形態は、基板上にマトリクス状に配置された複数の画素と、前記各画素にそれぞれ配置された画素電極と、前記各画素にそれぞれ配置された画素スイッチと、前記複数の画素を配列する行に沿って延びる走査線と、前記複数の画素を配列する列に沿って延びる信号線と、前記走査線にゲート信号を供給する走査線駆動回路と、前記信号線に映像信号を供給する信号線駆動回路と、前記行方向に並ぶ複数の前記画素の前記画素電極と絶縁層を介して、表示面内に電気的に独立して配置された複数のコモン電極と、前記画素を配列する行に沿った前記コモン電極に電圧を供給する行コモン電極駆動回路と、前記画素を配列する列に沿った前記コモン電極に電圧を供給する列コモン電極駆動回路と、を備え、前記走査線駆動回路が前記走査線に供給する前記ゲート信号によって、前記各画素の前記画素スイッチをそれぞれ駆動して前記信号線と前記画素電極とを接続して前記映像信号を前記各画素にそれぞれ供給し、前記行コモン電極駆動回路と前記列コモン電極駆動回路とは、前記画素を配列する行に沿った前記コモン電極に印加される電圧の実効値と、前記画素を配列する列に沿った前記コモン電極に印加される電圧の実効値が等しくなるように制御する、液晶表示装置である。
【００３５】
また、本発明の実施形態は、基板上にマトリクス状に配置された複数の画素と、前記各画素にそれぞれ配置された画素電極と、前記各画素にそれぞれ配置された画素スイッチと、前記複数の画素を配列する行に沿って延びる走査線と、前記複数の画素を配列する列に沿って延びる信号線と、前記走査線にゲート信号を供給する走査線駆動回路と、前記信号線に映像信号を供給する信号線駆動回路と、前記行方向に並ぶ複数の前記画素の前記画素電極と絶縁層を介して、表示面内に電気的に独立して配置された複数のコモン電極と、を有する液晶表示装置の駆動方法において、前記走査線に供給する前記ゲート信号によって、前記各画素の前記画素スイッチをそれぞれ駆動して前記信号線と前記画素電極とを接続して前記映像信号を前記各画素にそれぞれ供給し、前記画素を配列する行に沿った前記コモン電極に印加される電圧の実効値と、前記画素を配列する列に沿った前記コモン電極に印加される電圧の実効値が等しくなるように制御する、液晶表示装置の駆動方法である。
【図面の簡単な説明】
【００３６】
【図１】一実施形態に係る液晶表示装置を説明するための図である。
【図２】一実施形態に係る液晶表示装置を説明するための図である。
【図３】一実施形態に係る液晶表示装置の駆動方法の一例を説明するためのタイミングチャートである。
【図４】一実施形態に係る液晶表示装置の効果を説明するための図である。
【図５】従来例の液晶表示装置を説明するための図である。
【図６】従来例の液晶表示装置を説明するための図である。
【図７】従来例の液晶表示装置の駆動方法の一例を説明するためのタイミングチャートである。
【図８】従来例の液晶表示装置の課題を説明するための図である。
【発明を実施するための形態】
【００３７】
以下、一実施形態に係る液晶表示装置及びその駆動方法について、図面を参照して説明する。
【００３８】
本実施形態に係る液晶表示装置も従来技術と同様に、ノーマリブラックであってＦＦＳ方式である。本実施形態の液晶表示装置と従来例の液晶表示装置の異なる点は、コモン電極駆動回路ＣＯＭ＿Ｄｒｖとその動作にあり、従来例と同じ部分については同一の符号を付与し、詳細な説明は省略する。
【００３９】
（１）液晶表示装置の構造
本実施形態の液晶表示装置のコモン電極駆動回路ＣＯＭ＿Ｄｒｖについて、図１に基づいて説明する。
【００４０】
図１に示すように、コモン電極駆動回路ＣＯＭ＿Ｄｒｖは、バッファ回路１Ｒと振幅制御回路２Ｒ、バッファ回路１Ｃと振幅制御回路２Ｃを有する。
【００４１】
バッファ回路１Ｒは、画素電極を配列する行に沿ったコモン電極（以下、「行コモン電極」という）ＣＯＭ＿Ｒｏｗに電圧を供給する。振幅制御回路２Ｒは、バッファ回路１Ｒが供給する電圧の振幅を決定する。そして、バッファ回路１Ｒと振幅制御回路２Ｒとで、行コモン電極駆動回路を構成する。
【００４２】
バッファ回路１Ｃは、画素電極を配列する列に沿ったコモン電極（以下、「列コモン電極」という）ＣＯＭ＿Ｃｏｌｕｍｎに電圧を供給する。振幅制御回路２Ｃは、バッファ回路１Ｃが供給する電圧の振幅を決定する。そして、バッファ回路１Ｃと振幅制御回路２Ｃとで、列コモン電極駆動回路を構成する。
【００４３】
表示期間において、列コモン電極ＣＯＭ＿Ｃｏｌｕｍｎと行コモン電極ＣＯＭ＿Ｒｏｗには、それぞれに独立したバッファ回路１Ｒと振幅制御回路２Ｒ、バッファ回路１Ｃと振幅制御回路２Ｃによって個別に設定されたコモン電圧ＣＯＭが供給される。
【００４４】
すなわち、振幅制御回路２Ｒは、行コモン電極ＣＯＭ＿Ｒｏｗに印加される電圧の振幅を決定するためのにハイ電位とロー電位を決定し、適切な振幅Ａを設定した後に、バッファ回路１Ｒが、電流を増幅して行コモン電極ＣＯＭ＿Ｒｏｗに供給する。
【００４５】
また、振幅制御回路２Ｃは、列コモン電極ＣＯＭ＿Ｃｏｌｕｍｎに印加される電圧の振幅を決定するためのハイ電位とロー電位を決定し、適切な振幅Ｂを設定した後に、バッファ回路１Ｃが、電流を増幅してコモン電極ＣＯＭ＿Ｃｏｌｕｍｎに供給する。
【００４６】
（２）本実施形態の液晶表示装置の駆動方法
次に、本実施形態の液晶表示装置の駆動方法について説明する。なお、説明を簡略化するために、図１の構成を少ない画素数に簡素化した図２を参照しながら駆動タイミングを図３で説明する。
【００４７】
図２に示すように、簡素化した液晶表示装置は、６本の走査線ＧＬ１、ＧＬ２・・・、ＧＬ６と複数個のコモン電極ＣＯＭを有し、コモン電極ＣＯＭは、列コモン電極ＣＯＭ＿Ｃｏｌｕｍｎと、行コモン電極ＣＯＭ＿Ｒｏｗ１、ＣＯＭ＿Ｒｏｗ２、ＣＯＭ＿Ｒｏｗ３を備えている。
【００４８】
信号線中の映像信号の電位が変動する際、特にデマルチプレクサにより１水平期間を時分割して映像信号を充電する際には、選択された走査線の画素電極ＰＥには充放電電流が発生し、容量結合によりコモン電極ＣＯＭの電位変動が発生するのは、本実施形態は従来例と同様である。
【００４９】
また、コモン電極ＣＯＭ（ＣＯＭ＿Ｒｏｗ１、ＣＯＭ＿Ｒｏｗ２、ＣＯＭ＿Ｒｏｗ３、コモン電極ＣＯＭ＿Ｃｏｌｕｍｎ）は、それぞれに異なった固有の時定数を有し、それぞれの時定数に応じて独立して電位が収束し、その電位変動は、それぞれのエリアに含まれる走査線と連動した挙動を示すのも、本実施形態は従来例と同様である。
【００５０】
従来例で説明したように、共通の振幅では行コモン電極ＣＯＭ＿Ｒｏｗ１、ＣＯＭ＿Ｒｏｗ２、ＣＯＭ＿Ｒｏｗ３の電圧の実効値に比べて、列コモン電極ＣＯＭ＿Ｃｏｌｕｍｎの電圧の実効値は小さくなり、実効値の差が発生する。
【００５１】
そこで、本実施形態の駆動方法においては、行コモン電極ＣＯＭ＿Ｒｏｗ１、ＣＯＭ＿Ｒｏｗ２、ＣＯＭ＿Ｒｏｗ３の各電圧の実効値と、列コモン電極ＣＯＭ＿Ｃｏｌｕｍｎの実効値を等しくする為に、前記実効値の差を埋める。具体的には、振幅制御回路２Ｃが、コモン電極ＣＯＭ＿Ｃｏｌｕｍｎに印加される電圧の振幅をＢ＝Ａ＋αと設定し、小さくなった列コモン電極ＣＯＭ＿Ｃｏｌｕｍｎの電圧の実効値をかさ上げする。このαは、実験などにより予め決定しておき、振幅制御回路２Ｃに設定しておく。
【００５２】
（３）効果
本実施形態によれば、行コモン電極ＣＯＭ＿Ｒｏｗ１、ＣＯＭ＿Ｒｏｗ２、ＣＯＭ＿Ｒｏｗ３の電圧の実効値と、列コモン電極ＣＯＭ＿Ｃｏｌｕｍｎの電圧の実効値が等しくなる。液晶は、印加される交流電界の実効値に対して応答するため、従来例で見られたような列コモン電極ＣＯＭ＿Ｃｏｌｕｍｎのエリアに属する画素の輝度が低くなる現象を抑えられる。
【００５３】
すなわち、図４に示されるように、列コモン電極ＣＯＭ＿Ｃｏｌｕｍｎに属するエリア４、エリア７、エリア１０についても、それ以外のエリアと同様の輝度が得られることから、列コモン電極ＣＯＭ＿Ｃｏｌｕｍｎの配線に沿った表示ムラを回避し、良好な品位の液晶表示装置を実現できる。なお、図４では、斜めハッチで各エリアの輝度を表してる。
【００５４】
（４）変更例
上記実施形態では、表示期間においてのコモン電極充電に着目して説明したが、列コモン電極ＣＯＭ＿Ｃｏｌｕｍｎと、行コモン電極ＣＯＭ＿Ｒｏｗのそれぞれに、垂直ブランキング期間において独立した検査用信号が印加されるような場合においても、表示エリア毎に発生する実効値差を、上記と同様の方法により補正し、面内で均一な実効値が得られるように調整することで表示ムラを回避し、良好な品位の液晶表示装置を実現できる。
【００５５】
上記の実施形態では、ＦＦＳ方式の液晶表示装置であったが、これに代えて、コモン電圧をＤＣであり、画素電極ＰＥの電位をフレーム毎に変化させることにより液晶層ＬＱに印加する電位の極性を反転させる液晶表示装置であれば、本実施形態を適用することにより同様の効果を得ることができる。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５７】
ＬＱ・・・液晶層、ＰＸ・・・画素、ＰＥ・・・画素電極、ＧＬ・・・走査線、ＳＬ・・・信号線、ＳＷＰ・・・画素スイッチ、ＣＯＭ・・・コモン電極、ＧＤ・・・走査線駆動回路、１・・・バッファ回路、２・・・振幅制御回路
【図１】
2014167514.tif 000003
【図２】
2014167514.tif 000004
【図３】
2014167514.tif 000005
【図４】
2014167514.tif 000006
【図５】
2014167514.tif 000007
【図６】
2014167514.tif 000008
【図７】
2014167514.tif 000009
【図８】
2014167514.tif 000010